(57)【要約】【課題】ねじ穴を有するコ字形状の継手具をサンドイッチパネルの端部に接合する際に、安定した接着層の厚さが得られず、従って、安定した接着強度が得られず、かつ、サンドイッチパネルと上記継手具を接着する際に、接着剤がかき取られ、接着部以外に接着剤が侵入する。【解決手段】ねじ穴を有するコ字形状の継手具を、ねじ穴を有する継手具１１ときり穴を有する継手具１２に分割して製造し、これらの継手具とサンドイッチパネル１、ならびにこれらの継手具同士とを、その接着層６にスペーサ７を埋め込むようにして接着し、加圧して硬化させることによって、サンドイッチパネルおよび継手具の製造公差によらず、接着層の厚さが安定し、従って、安定した接着強度を得られ、かつ、サンドイッチパネルと上記継手具を接着する際に、接着剤がかき取られない。【選択図】　　　　図３
2004138139.tif 000002
【特許請求の範囲】
【請求項１】
パネルの端部に接着剤により接着される、ねじ穴を有するコ字形状の継手具において、上記継手具は、２個のＬ字型の継手具から成り、これらの継手具の間隔を可変できることを特徴とする継手具。
【請求項２】
上記継手具は、ねじ穴を有する継手具ときり穴を有する継手具から成ることを特徴とする請求項１記載の継手具。
【請求項３】
ねじ穴を有するコ字形状の継手具を、パネルの端部に接着剤により接着する接合方法において、
上記継手具は、ねじ穴を有する継手具ときり穴を有する継手具から成り、これらの継手具とパネル、ならびにこれらの継手具同士とを、その接着層にパネルを埋め込むようにして接着することを特徴とする継手具とパネルの接合方法。
【請求項４】
上記継手具とパネル、ならびにこれらの継手具同士とを、その接着層にパネルを埋め込むようにして接着し、加圧して硬化させることによって、パネルおよび継手具の製造公差によらず、接着層の厚さを安定させることを特徴とする請求項３記載の継手具とパネルの接合方法。
【請求項５】
上記パネルがサンドイッチパネルであることを特徴とする請求項３及び４のいずれかに記載の継手具とパネルの接合方法。
【発明の詳細な説明】
【０００１】
【発明の属する技術分野】
この発明は人工衛星構体などに用いられる継手具及び継手具とパネルとを接合する方法に関するものである。
【０００２】
【従来の技術】
図４は従来の接合方法の一実施例を示す（例えば、特許文献１参照）。また、従来の接合方法で使用する継手具の斜視図を図５に、図４のＡ−Ａ断面を図６に示し、１はサンドイッチパネル、２は表皮、３はコア材、４は従来の継手具、５はねじ穴、６は接着層、７はスペーサ、８は継手具内部の厚さ寸法、９はサンドイッチパネルの厚さ寸法、１０はサンドイッチパネルと継手具の隙間寸法である。
【０００３】
従来の方法では、ねじ穴５を有するコ字形状の継手具４を単一部品として製造し、これをサンドイッチパネル１に取付け、両者を接着剤によって接着して結合する。
【０００４】
この際、継手具内部の厚さ寸法８を、サンドイッチパネルの厚さ寸法９よりも大きく設計しておき、継手具４をサンドイッチパネル１に差し込むようにして接着するが、継手具４がサンドイッチパネル１の上側もしくは下側に偏ることによって、接着層６が極端に薄くならないように、接着層６にスペーサ７を入れることにより、スペーサ７の厚さ以上の接着層６を確保する。
【０００５】
【特許文献１】
特開平５―２３５８７号公報（第３―４頁、第２図）
【０００６】
【発明が解決しようとする課題】
以上の従来の継手具とパネルの接着接合方法によれば、パネルおよび継手具４の製造公差によって、パネルと継手具の隙間寸法にばらつきが生じ、このため、安定した接着層の厚さが得られない、従って、安定した接着強度が得られないという問題点があった。
【０００７】
また、安定した接着強度が得られない場合、強度設計において安全余裕を大きく見積もらねばならず、結果として、より大きな接着強度を得るため、継手具の接着面積を大きく設計することになり、重量の増加を招くという問題点もある。
【０００８】
また、継手具をパネルに差し込むので、パネルに予め塗布しておいた接着剤が継手具にかき取られ、かき取られた接着剤が接着部以外に侵入してしまうという問題点もある。
【０００９】
この発明は、前記問題を解決するためになされたものであり、パネルおよび継手具の製造公差によらず、接着層の厚さが安定し、従って、安定した接着強度が得られ、かつ、パネルと継手具を接着する際に接着剤をかき取らない接合方法を提供することを目的とする。
【００１０】
【課題を解決するための手段】
第１の発明の継手具は、パネルの端部に接着剤により接着され、ねじ穴を有するコ字形状の継手具であって、上記継手具は、２個のＬ字型の継手具から成り、これらの継手具の間隔を可変できるものである。
【００１１】
また、上記継手具は、ねじ穴を有する継手具ときり穴を有する継手具から成ることも良い。
【００１２】
第２の発明の継手具とパネルの接着接合方法は、ねじ穴を有するコ字形状の継手具を、パネルの端部に接着剤により接着する接合方法において、上記継手具は、ねじ穴を有する継手具ときり穴を有する継手具から成り、これらの継手具とパネル、ならびにこれらの継手具同士とを、その接着層にパネルを埋め込むようにして接着するものである。
【００１３】
また、上記継手具とパネル、ならびにこれらの継手具同士とを、その接着層にパネルを埋め込むようにして接着し、加圧して硬化させることによって、パネルおよび継手具の製造公差によらず、接着層の厚さを安定させることも良い。
【００１４】
なお、上記パネルがサンドイッチパネルであることも良い。
【００１５】
【発明の実施の形態】
実施の形態１．
図１はこの発明の実施の形態１であり、また、この発明の継手具の斜視図を図２に、図１のＢ−Ｂ断面を図３に示し、１１はねじ穴を有する継手具、１２はきり穴を有する継手具、１３はきり穴であり、１〜１０従来技術の説明と同じものである。
【００１６】
この発明においては、ねじ穴５を有するコ字形状の継手具を、ねじ穴を有する継手具１１ときり穴を有する継手具１２に分けて製造し、図３に示すように、サンドイッチパネル１とねじ穴を有する継手具１１、サンドイッチパネル１ときり穴を有する継手具１２、および、ねじ穴を有する継手具１１ときり穴を有する継手具１２とを、それぞれの接着層６に高精度の厚さ寸法を有するスペーサ７をはさみ込むようにして互いに接着し、これらを上下横の３方向から加圧して接着剤を硬化させる。
【００１７】
これにより、サンドイッチパネル１、ねじ穴を有する継手具１１、きり穴を有する継手具１２の製造公差によらず、接着層６の厚さがスペーサ７の厚さと同じになる。なお、ねじ穴を有する継手具１１ときり穴を有する継手具１２は、サンドイッチパネル１の上下に置くようにして加圧接着すればよく、サンドイッチパネル１に差し込むように接着する必要はない。
【００１８】
この発明は、ねじ穴を有するコ字形状の継手具を、サンドイッチパネルの端部に接着剤により接着する接合方法において、上記継手具を、ねじ穴を有する継手具ときり穴を有する継手具に分割して製造し、これらの継手具とサンドイッチパネル、ならびにこれらの継手具同士とを、その接着層にスペーサを埋め込むようにして接着し、加圧して硬化させることによって、サンドイッチパネルおよび継手具の製造公差によらず、接着層の厚さが安定し、従って、安定した接着強度を得られ、かつ、サンドイッチパネルと上記継手具を接着する際に、接着剤をかき取らないことを特徴とする接合方法である。
【００１９】
上記実施例を用いた場合、上述の製造公差のために、きり穴１３とねじ穴５の中心軸が必ずしも同軸とならないが、きり穴１３の直径をねじ穴５の直径よりも大きく、かつ、きり穴１３とねじ穴５の直径の差が上述の製造公差の和の最大値よりも大きくなるように設計しておけば、ねじ締結の機能を損なうことはない。
【００２０】
以上説明したように、この発明によれば、サンドイッチパネル１とねじ穴を有する継手具１１、サンドイッチパネル１ときり穴を有する継手具１２、および、ねじ穴を有する継手具１１ときり穴を有する継手具１２とを接着し、接着剤を加圧して硬化させることができるので、サンドイッチパネル１、ねじ穴を有する継手具１１、およびきり穴を有する継手具１２の製造公差によらず接着層６の厚さが安定する、従って、安定した接着強度が得られるという効果がある。
【００２１】
また、従来のように、強度安全余裕を大きく見積もるために、必要以上に大きな接着面積を確保する必要がなくなるので、従来よりも重量を低減できるという利点がある。
【００２２】
また、ねじ穴を有する継手具１１ときり穴を有する継手具１２は、サンドイッチパネル１の上下に置くようにして加圧接着すればよいので、サンドイッチパネル１に予め塗布しておいた接着剤がかき取られることがなく、従って、接着部以外に接着剤が侵入することもない。
【００２３】
【発明の効果】
この発明は、以上述べたように構成されているので、パネルおよび継手具の製造公差によらず、接着層の厚さが安定し、従って、安定した接着強度が得られ、かつ、パネルと継手具を接着する際に接着剤をかき取らない接合方法を提供できる。
【図面の簡単な説明】
【図１】この発明による接合方法を示す全体図である。
【図２】この発明で使用する継手具の斜視図である。
【図３】図１のＢ−Ｂ断面を示す図である。
【図４】従来の接合方法の一実施例を示す全体図である。
【図５】従来の接合方法で使用する継手具の斜視図である。
【図６】図４のＡ−Ａ断面を示す図である。
【符号の説明】
１　サンドイッチパネル、　２　表皮、　３　コア材、　４　従来の継手具、５　ねじ穴、　６　接着層、　７　スペーサ、　８　継手具内部の厚さ寸法、９　サンドイッチパネルの厚さ寸法、　１０　サンドイッチパネルと継手具の隙間寸法、　１１　ねじ穴を有する継手具、　１２　きり穴を有する継手具、　１３　きり穴
【図１】
2004138139.tif 000003
【図２】
2004138139.tif 000004
【図３】
2004138139.tif 000005
【図４】
2004138139.tif 000006
【図５】
2004138139.tif 000007
【図６】
2004138139.tif 000008